(57)【要約】【課題】イミュニティ対策を行うことができるとともに、着脱が容易なアンテナ端子キャップを提供する。【解決手段】軸方向と交差する方向に拡がるベース部３１と、ベース部３１より軸方向に沿って延びる筒状の外筒部３２と、ベース部３１の外筒部３２よりも径方向内側から軸方向に延びる筒状の嵌合筒部３３と、シールド部材４０と、を備え、嵌合筒部３３は、アンテナ端子２０に外嵌し、シールド部材４０は、嵌合筒部３３の内部に配置されて、アンテナ端子２０の先端部分を覆うとともに、アンテナ端子２０と電気的に接続する導電部４２を備えるアンテナ端子キャップ３０。【選択図】図４
2019186223.tif 000002
【特許請求の範囲】
【請求項１】
凹部に配置された金属製のアンテナ端子に取り付けられるアンテナ端子キャップであって、
軸方向と交差する方向に拡がるベース部と、
前記ベース部より軸方向に沿って延びる筒状の外筒部と、
前記ベース部の前記外筒部よりも径方向内側から前記外筒部と同じ側に軸方向に沿って延びる筒状の嵌合筒部と、
シールド部材と、を備え、
前記嵌合筒部は、前記アンテナ端子に外嵌し、
前記シールド部材は、前記嵌合筒部の内部に配置されて、前記アンテナ端子の先端部分を覆うとともに、前記アンテナ端子と電気的に接続する導電部を備えるアンテナ端子キャップ。
【請求項２】
前記外筒部の内径は、前記凹部の内径よりも大きく、
前記嵌合筒部の軸方向長さは、前記外筒部の軸方向長さよりも長い請求項１に記載のアンテナ端子キャップ。
【請求項３】
前記シールド部材は、
前記導電部と前記ベース部との間に配置されて導電部をアンテナ端子に向けて付勢する付勢部を備える請求項１または請求項２に記載のアンテナ端子キャップ。
【請求項４】
前記付勢部は、弾性変形可能であり、圧縮された状態で前記嵌合筒部内に配置されるとともに、反発力で前記導電部を前記アンテナ端子に向けて付勢する請求項３に記載のアンテナ端子キャップ。
【請求項５】
前記反発力は、前記嵌合筒部の前記アンテナ端子と嵌合するときの保持力よりも小さい請求項４に記載のアンテナ端子キャップ。
【請求項６】
前記付勢部は、スポンジ材料又はばねで形成される請求項４又は請求項５に記載のアンテナ端子キャップ。
【請求項７】
前記付勢部は、前記ベース部に固定される請求項３から請求項６のいずれかに記載のアンテナ端子キャップ。
【請求項８】
前記導電部は、柔軟性を有する請求項３から請求項７のいずれかに記載のアンテナ端子キャップ。
【請求項９】
前記導電部は、前記ベース部及び前記嵌合筒部の内面に形成された導電性膜である請求項１または請求項２に記載のアンテナ端子キャップ。
【請求項１０】
壁面に固定された本体部と、
前記本体部のカバーに形成された凹部に配置されたアンテナ端子と、
請求項１から請求項９のいずれかに記載のアンテナ端子キャップと、を備え、
前記アンテナ端子キャップは、前記嵌合筒部がアンテナ端子に外嵌するとともに、前記外筒部が前記カバーの外面に接触してアンテナ端子を塞ぐアンテナ端子ユニット。
【発明の詳細な説明】
【技術分野】
【０００１】
本発明は、居室の壁面配置されたアンテナ端子を保護するアンテナ端子キャップ及びアンテナ端子を備えたアンテナ端子ユニットに関する。
【背景技術】
【０００２】
居室の壁面等には、アンテナで受信した放送信号をテレビジョン受像機に供給するためのアンテナ端子ユニットが備えられていることが多い（例えば、特許文献１）。この手のアンテナ端子ユニットに備えられる接続端子は、雄ねじが形成された金属製で接地された本体部と、本体部の内部に配置されて放送信号が伝送される芯線接続部とを備える。接続端子にアンテナ線を接続するときには、アンテナ線の端部に設けられたコネクタを接続端子に装着し、アンテナ線の信号線（芯線）と芯線接続部とを接続する。
【０００３】
また、接続端子の周囲に配置される機器には、電磁波等を外部に放出するものがある。この電磁波が、アンテナ端子ユニットの芯線接続部に影響し信号伝送の障害になることがある。このような電磁波の芯線接続部への影響を抑制するため、金属製の雌ねじを備えたキャップを本体部に形成された雄ねじに螺合させて、アンテナ端子をシールドすることでイミュニティ対策を行う場合がある。
【先行技術文献】
【特許文献】
【０００４】
【特許文献１】特開２００２−２５６４８号公報
【発明の概要】
【発明が解決しようとする課題】
【０００５】
しかしながら、このようなキャップは、本体部の雄ねじに雌ねじを螺合させる必要があるため、取り付けに手間がかかる。また、壁面に配置されるアンテナ端子ユニットでは、アンテナ端子が凹部に設けられる場合があり、ねじ止め式のキャップでは、その取り付けが難しい。
【０００６】
そこで、本発明は、イミュニティ対策を行うことができるとともに、着脱が容易なアンテナ端子キャップを提供することを目的とする。
【課題を解決するための手段】
【０００７】
本発明のアンテナ端子キャップは、凹部に配置された金属製のアンテナ端子に取り付けられる。アンテナ端子キャップは、ベース部と、外筒部と、嵌合筒部と、シールド部材とを備える。ベース部は、軸方向と交差する方向に拡がる。外筒部は、ベース部より軸方向に沿って延びる筒状である。嵌合筒部は、ベース部の外筒部よりも径方向内側から外筒部と同じ側に軸方向に沿って延びる筒状である。嵌合筒部は、アンテナ端子に外嵌する。シールド部材は、嵌合筒部の内部に配置されて、アンテナ端子の先端部分を覆うとともに、アンテナ端子と電気的に接続する導電部を備える。
【０００８】
この構成によると、アンテナ端子に着脱が容易であるとともに、アンテナ端子の先端に導電部が接触することで、確実なイミュニティ対策が可能である。また、アンテナ端子キャップ自体は、導電性を備えなくてもよいため樹脂で形成することも可能である。そのため、アンテナ端子キャップの意匠性を高めることができる。
【０００９】
上記構成において、シールド部材は、導電部とベース部との間に配置されて導電部をアンテナ端子に向けて付勢する付勢部を備えてもよい。この構成によると、導電部をアンテナ端子により確実に接触させることができる。これにより、イミュニティ対策の効果を高めることができる。
【００１０】
上記構成において、付勢部は、弾性変形可能であり、圧縮された状態で嵌合筒部内に配置されるとともに、反発力で前記導電部を前記アンテナ端子に向けて付勢するようにしてもよい。これにより、簡単な構成で、アンテナ端子に導電部を確実に接触させることができる。
【００１１】
上記構成において、反発力は、嵌合筒部の前記アンテナ端子と嵌合するときの保持力よりも小さい。このようにすることで、アンテナ端子キャップを脱落しないように保持させることができる。
【００１２】
上記構成において、付勢部は、スポンジ材料又はばねで形成されてもよい。
【００１３】
上記構成において、シールド部材は、ベース部に固定されてもよい。このように構成することで、シールド部材の脱落を抑制できる。
【００１４】
上記構成において、導電部は、柔軟性を有してもよい。このように構成することで、導電部をアンテナ端子に確実に接触させることができ、イミュニティ対策を確実に行うことができる。
【００１５】
上記構成において、導電部は、ベース部及び嵌合筒部の内面に形成された導電性膜であってもよい。
【発明の効果】
【００１６】
本発明によると、イミュニティ対策を行うことができるとともに、着脱が容易なアンテナ端子キャップを提供することができる。
【図面の簡単な説明】
【００１７】
【図１】本発明にかかるアンテナ端子ユニットの壁面取り付け状態を示す斜視図である。
【図２】図１に示すアンテナ端子ユニットのアンテナ端子キャップを取り外した状態の斜視図である。
【図３】図１に示すアンテナ端子ユニットの平面図である。
【図４】図３に示すＩＶ−ＩＶ線で切断した断面図である。
【図５】アンテナ端子に入力ケーブルが取り付けられた状態の断面図である。
【図６】アンテナ端子キャップ及びシールド部材を分解した斜視図である。
【図７】図６に示すアンテナ端子キャップ及びシールド部材の断面図である。
【図８】本発明にかかるアンテナ端子キャップの他の例の断面図である。
【図９】本発明にかかるアンテナ端子キャップのさらに他の例の断面図である。
【発明を実施するための形態】
【００１８】
以下、本発明の例示的な実施形態について、図面を参照しながら詳細に説明する。なお、以下の説明において、アンテナ端子２０の後述するアンテナ本体部２１が延びる方向を、軸方向とする。また、軸方向と交差する方向を径方向とする。
【００１９】
図１は、本発明にかかるアンテナ端子ユニットの壁面取り付け状態を示す斜視図である。図２は、図１に示すアンテナ端子ユニットのアンテナ端子キャップを取り外した状態の斜視図である。図３は、図１に示すアンテナ端子ユニットの平面図である。図４は、図３に示すＩＶ−ＩＶ線で切断した断面図である。図５は、アンテナ端子に入力ケーブルを取り付けた状態の断面図である。なお、図３において、壁面ＷＬは断面で表示している。また、図５は、図４と同じ線で切断した断面図である。
【００２０】
アンテナ端子ユニットＡｎは、居室の壁面ＷＬに取り付けられて、不図示のテレビジョン受像機等の放送受信機器に放送信号を供給する。図１、図２に示すように、アンテナ端子ユニットＡｎは、カバー部１０と、アンテナ端子２０と、アンテナ端子キャップ３０と、を備える。
【００２１】
カバー部１０は、壁面ＷＬから外部に露出する外壁部１００を有する。すなわち、カバー部１０は、外装体として用いられる。カバー部１０は、樹脂の成形体であり、直方体状である。カバー部１０は、内部に、アンテナ線、金属フレーム等の部材が配置される。カバー部１０は、居室内の人や物がアンテナ線、金属フレーム等と接触することを抑制する。なお、外壁部１００は、ここでは、壁面ＷＬと平行な面である。
【００２２】
壁面ＷＬに取り付けられたカバー部１０の外壁部１００には、凹部１１が形成される。凹部１１は、円柱状であり、中央部分にアンテナ端子２０が配置される。つまり、アンテナ端子ユニットＡｎにおいて、アンテナ端子２０の先端は、外壁部１００よりも突出しない構成である。なお、凹部１１は、円柱状に限定されるものではなく、楕円柱、多角形柱状であってもよい。また、側壁が傾斜した、いわゆる、テーパー状であってもよい。
【００２３】
アンテナ端子２０には、屋外に設置された不図示のアンテナに接続された不図示の同軸ケーブル（アンテナ接続ケーブルとする）が接続されている。そして、アンテナ端子２０は、テレビジョン受像機に接続されたケーブル（入力ケーブル６０とする）の先端に取り付けられたプラグ６５が接続される。
【００２４】
ここで、入力ケーブル６０を参照して、同軸ケーブルについて説明する。図５に示すように、入力ケーブル６０は、芯線６１と、絶縁層６２と、導電層６３と、シース６４と、プラグ６５と、プラグ本体６６とを備える。芯線６１は放送信号を伝送する配線であり、芯線６１の径方向外部には、絶縁層６２が配置される。すなわち、芯線６１は、絶縁層６２の中心に配置される。また、導電層６３は、絶縁層６２の径方向外面に備えられる。導電層６３は、導電性を有し、接地されている。これにより、外部からの電磁波、静電気等による磁気的、電気的な影響を抑制している。すなわち、導電層６３は、外部の電磁波から芯線６１をシールドしている。導電層６３は、例えば、銅、アルミニウム等の金属製の線材を筒状に織ったものを挙げることができる。
【００２５】
また、シース６４は、入力ケーブル６０の外皮であり、ゴム、合成樹脂等の絶縁性の材料で形成される。プラグ６５は、入力ケーブル６０の端部に配置されており、アンテナ端子２０に接続するための接続部である。プラグ本体６６は、金属製であり、先端に筒部６６１を備える。そして、プラグ本体６６は、絶縁層６２、導電層６３及びシース６４を保持し、導電層６３と接続される。すなわち、プラグ本体６６は、接地される。図５に示すように、筒部６６１の先端は、芯線６１の先端より軸方向に突出している。これにより、芯線６１が外部の部材と触れることを抑制できる。また、筒部６６１はアンテナ端子２０に接続するときのガイドとしての役割も果たす。
【００２６】
以上、入力ケーブル６０について説明したが、アンテナ接続ケーブルも同様の構成を有する。すなわち、アンテナ接続ケーブルは、入力ケーブル６０の先端のプラグ６５に替えてアンテナ端子２０が接続される構成である。
【００２７】
図４に戻り、アンテナ端子２０の詳細について説明する。図４に示すように、アンテナ端子２０は、アンテナ本体部２１と、芯線接続部２２と、絶縁部２３とを備える。アンテナ本体部２１は、金属製の筒体である。アンテナ本体部２１は、接地されている。また、アンテナ本体部２１の径方向外面には、雄ねじ２１１が形成されている。なお、テレビジョン受像機に接続された同軸ケーブル（入力ケーブル６０とする）の先端のプラグ６５を確実に取り付けることができる場合、雄ねじはなくてもよい。
【００２８】
芯線接続部２２は、アンテナに接続された同軸ケーブルの芯線が接続される。芯線接続部２２は、入力ケーブル６０のプラグ６５を取り付けたときに、芯線６１を挟むクリップ部２２１を備える。クリップ部２２１はプラグが挿入されたときに芯線６１の先端で押されて、弾性変形して、開く。これにより、プラグ６５をアンテナ端子２０に取り付けたときに、芯線接続部２２と入力ケーブル６０の芯線６１、すなわち、接続ケーブルの芯線６１とアンテナ接続ケーブルとの芯線同士が接続される。
【００２９】
絶縁部２３は、軸と直交する方向に延びる蓋部２３１と、蓋部２３１の辺縁部から軸方向に延びる筒部２３２とを備える。絶縁部２３は、アンテナ本体部２１の内部に配置され、筒部２３２の内部には、芯線接続部２２が配置される。そして、蓋部２３１は、芯線接続部２２の先端側を覆うように配置される。そして、蓋部２３１の中央部分には、軸方向に貫通した貫通孔２３３を備える。絶縁部２３は、放送信号が伝送される芯線接続部２２と外部（例えば、アンテナ本体部２１）とを絶縁している。
【００３０】
図５を参照して、プラグ６５をアンテナ端子２０に接続する場合について説明する。まず、プラグ本体６６の筒部６６１をアンテナ本体部２１の径方向外面に接触させる。これにより、芯線６１と貫通孔２３３とは、軸方向に重なる。そして、プラグ６５を奥に移動させることで、筒部６６１は、アンテナ本体部２１の外面と接触しつつ移動し、芯線６１は、芯線接続部２２のクリップ部２２１を押し開けつつ移動する。これにより、クリップ部２２１は、芯線６１と確実に接続される。そして、プラグ本体６６の底部がアンテナ本体部２１の先端と接触するまで押し込まれて、接続が完了する。
【００３１】
アンテナ端子２０は、入力ケーブル６０、すなわち、プラグ６５が接続されないときには、露出する。アンテナ端子２０が露出していると、塵、埃等が付着してアンテナ端子２０と入力ケーブル６０との接触不良の原因になる場合がある。また、アンテナ端子２０が露出していると、意匠性がよくないと判断する使用者もいる。さらに、アンテナ端子２０において、軸方向の先端部分は絶縁部２３の蓋部２３１でふさがれているだけであり、電磁波に対するシールド性が低い。そのため、芯線接続部２２は、外部の電磁波の影響を受けやすい。そこで、アンテナ端子ユニットＡｎでは、入力ケーブル６０を接続していないときに、アンテナ端子キャップ３０で、アンテナ端子２０を覆う（図１、図３参照）。
【００３２】
ここで、アンテナ端子キャップ３０の詳細について図面を参照して説明する。図６は、アンテナ端子キャップ及びシールド部材を分解した斜視図である。図７は、図６に示すアンテナ端子キャップ及びシールド部材の断面図である。アンテナ端子キャップ３０は、アンテナ端子２０をカバーする蓋部材である。図３、図６及び図７に示すように、アンテナ端子キャップ３０は、ベース部３１と、外筒部３２と、嵌合筒部３３と、シールド部材４０と、を備える。ベース部３１は、板状の部材であり、ここでは、円板状である。なお、図３、図７等に示すように、ベース部３１は、径方向中央が軸方向に膨らんだ形状をしているが、平板状であってもよい。
【００３３】
外筒部３２は、ベース部３１の外縁部の近傍から軸方向に延びる円筒状である。なお、外筒部３２は、ベース部３１の外縁よりも内側に配置されているが、外筒部３２の外縁と面一であってもよい。ベース部３１の外縁が外筒部３２の径方向外面よりも外側にあることで、例えば、アンテナ端子２０に取り付けられたアンテナ端子キャップ３０を取り外すときに、端部が指にかかりやすく、取り外しが容易になる。嵌合筒部３３は、ベース部３１の外筒部３２が接続している面と同じ面から外筒部３２と同じ側に軸方向に沿って延びる円筒状である。嵌合筒部３３の軸方向長さは、外筒部３２の軸方向長さよりも長い。そして、嵌合筒部３３は、軸方向においてベース部３１と反対側の端部から軸方向に沿って延びるスリット３３１を備える。
【００３４】
図３に示すように、嵌合筒部３３は、アンテナ本体部２１に外嵌する。そして、嵌合筒部３３は、アンテナ本体部２１に嵌合することで、アンテナ端子キャップ３０はアンテナ端子２０に取り付けられる。
【００３５】
嵌合筒部３３の内部には、内側に突出するとともに軸方向に延びるリブ３３２を複数個備えている（図７参照）。リブ３３２とアンテナ本体部２１の外面とが接触して、嵌合筒部３３は、アンテナ本体部２１に外嵌する。なお、嵌合筒部３３の内面全体をアンテナ本体部２１の外面に接触させて、嵌合筒部３３をアンテナ本体部２１に外嵌させてもよい。
【００３６】
なお、嵌合筒部３３がリブ３３２を備える構成の場合、リブ３３２の径方向内面だけをアンテナ本体部２１の外径に精度よく合わせた大きさに形成すればよいため、アンテナ端子キャップ３０の製造が容易になる。
【００３７】
リブ３３２又は嵌合筒部３３自体の最内径はアンテナ本体部２１の最外径よりも小さく形成されている。これにより、嵌合筒部３３自体の内面又はリブ３３２の径方向内側の面がアンテナ本体部２１に径方向に押し当てられ、接触部分には接触圧力が発生している。この接触圧力が、アンテナ端子キャップ３０をアンテナ端子２０に保持するための保持力となる。そして、嵌合筒部３３をアンテナ本体部２１に外嵌するときには、嵌合筒部３３が変形する。嵌合筒部３３にスリット３３１が設けられていることで、嵌合筒部３３が変形しやすくなり、嵌合筒部３３とアンテナ本体部２１の接触圧力を低減できる。すなわち、スリット３３１の形状（大きさ、長さ等）、数を変更することで嵌合筒部３３のアンテナ本体部２１に対する保持力を調整できる。
【００３８】
アンテナ端子キャップ３０は樹脂の成型品である。また、アンテナ端子２０の絶縁部２３も樹脂の成型品である。そのため、アンテナ端子キャップ３０を取り付けた場合であっても、アンテナ端子２０の先端は、電磁波が透過可能であり、芯線接続部２２に対する、すなわち、アンテナ接続ケーブルの芯線に対する、電磁波をシールドする効果が低い。そこで、アンテナ端子キャップ３０では、嵌合筒部３３の内部にシールド部材４０を配置し、芯線接続部２２の電磁波に対するシールドを行う。以下に、シールド部材４０の詳細について説明する。
【００３９】
図６、図７に示すように、シールド部材４０は、円筒形状の部材であり、付勢部４１と、導電部４２と、接着部４３とを備える。付勢部４１は、軸方向に延びる円筒形状である。付勢部４１は、弾性変形可能であり、圧縮されたときに、元に戻る方向の反発力を対象物（ここでは、アンテナ本体部２１及びベース部３１）に対して作用させる。付勢部４１としては、ウレタンスポンジ等の多孔質体を円柱状に成形したものを挙げることができるが、これに限定されない。変形後に元に戻るときの反発力を対象物に対して作用させることができる材質及び形状のものを広く採用できる。
【００４０】
導電部４２は、付勢部４１の軸方向一方側の端面に配置された、膜状の部材である。すなわち、軸方向に見たとき、導電部４２は付勢部４１の軸方向端面と同じ形状であり、柔軟性を有する。導電部４２は、例えば、導電性を有する繊維を織って作った布を用いることができる。導電部４２は、アンテナ本体部２１の端部と接触することで、アンテナ本体部２１の内部に配置された芯線接続部２２をシールドする。そのため、導電部４２は、アンテナ本体部２１の端部と全周に亘って接触することができる形状である。導電部４２は、付勢部４１の変形に追従して変形可能な部材であることが好ましい。しかしながら、アンテナ本体部２１の先端部と全周に亘って接触可能であれば、金属板のように、変形しにくい形状であってもよい。
【００４１】
接着部４３は、付勢部４１の導電部４２が配置された面と軸方向反対側の面に配置される。接着部４３は、シールド部材４０、すなわち、付勢部４１を、ベース部３１に接着する。接着部４３としては、例えば、両面テープ、接着剤膜等を挙げることができるが、これに限定されない。
【００４２】
シールド部材４０は、接着部４３を介して、ベース部３１の嵌合筒部３３に囲まれている部分に接着される。このとき、シールド部材４０の導電部４２は、嵌合筒部３３の先端部よりもベース部３１側に位置する。すなわち、シールド部材４０は、嵌合筒部３３の内部に収納される。なお、シールド部材４０が、嵌合筒部３３の内部に収納されたときに、嵌合筒部３３との接触による摩擦力で嵌合筒部３３に保持可能な場合、接着部４３は、省略してもよい。
【００４３】
次に、シールド部材４０を備えたアンテナ端子キャップ３０のアンテナ端子２０への塵付けについて説明する。嵌合筒部３３の内部にシールド部材４０を収納した状態で、嵌合筒部３３をアンテナ本体部２１の外部に外嵌させる。そして、アンテナ端子キャップ３０を押し込むことで、シールド部材４０の導電部４２が、アンテナ本体部２１の軸方向先端部分と接触し、導電部４２は、接地される。これにより、芯線接続部２２は、アンテナ本体部２１及び導電部４２によって、シールドされる。
【００４４】
そして、アンテナ端子キャップ３０は、外筒部３２の軸方向先端部がカバー部１０の外壁部１００に接触するまで、押し込まれる。ここで、外筒部３２の軸方向先端部を外壁部１００に確実に接触させるため、外筒部３２は、凹部１１よりも大径である。また、外筒部３２の軸方向先端部が、外壁部１００に接触したとき、シールド部材４０の付勢部４１は、アンテナ本体部２１とベース部３１とに挟まれて軸方向に圧縮される。これにより、付勢部４１は、アンテナ本体部２１とベース部３１とを軸方向に離れる方向に付勢する。
【００４５】
ここで、付勢部４１による、付勢力について説明する。上述したとおり、付勢部４１は、弾性変形可能な部材である。そのため、付勢部４１を圧縮すると、圧縮された長さに比例した反発力がアンテナ本体部２１及びベース部３１に作用する。この反発力は、アンテナ端子キャップ３０をアンテナ端子ユニットＡｎから離脱する方向に作用する。付勢部４１の反発力をＦｎ、嵌合筒部３３のアンテナ本体部２１に対する保持力をＦｗとすると、Ｆｎ＜Ｆｗとすることで、付勢部４１の反発力によってアンテナ端子キャップ３０がアンテナ端子２０に保持される。また、アンテナ端子キャップ３０が保持され続けることで、付勢部４１の反発力で、導電部４２がアンテナ本体部２１に押し付けられる。これにより、芯線接続部２２は、アンテナ本体部２１と導電部４２とで、確実にシールドされる。
【００４６】
すなわち、アンテナ端子キャップ３０の外筒部３２がカバー部１０の外壁部１００と接触したときに、付勢部４１は圧縮される。そして、圧縮によって発生する反発力が嵌合筒部３３のアンテナ本体部２１への保持力よりも小さくなるように、付勢部４１が構成される。付勢部４１は、弾性変形する部材であり、例えば、弾性係数が高い材料の場合には、軸方向長さを短めに設定し、弾性係数が低い材料の場合には、軸方向長さを長めに設定する。
【００４７】
本発明にかかるアンテナ端子キャップ３０は、嵌合筒部３３をアンテナ本体部２１に嵌合させるといった、簡単な操作で、アンテナ端子２０を塞ぐことができる。そして、シールド部材４０を備えていることで、アンテナ本体部２１の内部に配置された芯線接続部２２及び芯線接続部２２が接続されるアンテナ接続ケーブルの芯線に対する外部の電磁波からの影響を低減することが可能である、すなわち、イミュニティ対策が可能である。また、アンテナ端子キャップ３０を、カバー部１０と同じ材質で形成することも可能である。これにより、金属製のキャップを用いる場合に比べて、意匠性を高めることも可能である。また、アンテナ端子キャップ３０を樹脂で形成することで、使用者がアンテナ端子キャップ３０に接触したとしても、静電気等が発生しないので、不快感を低減できる。
【００４８】
＜変形例＞
上述の実施形態では、付勢部４１として、弾性変形（圧縮）可能な部材としていた。しかしながらこれに限定されない。例えば、変形可能な容器に入れたゲル状の部材のように、変形した形状を維持するような部材であってもよい。このような部材を用いることで、アンテナ端子キャップ３０をアンテナ端子２０に取り付けたときに、アンテナ本体部の形状に合わせて付勢部が変形し、導電部をしっかりアンテナ本体部に接触させる柔軟性を有していてもよい。このような、柔軟性を有する材料を用いる場合には、アンテナ端子キャップ３０をアンテナ端子２０に取り付けたときに、付勢部が嵌合筒部３３の内部に収まる量とすることが好ましい。また、嵌合筒部３３に孔をあけておき、外筒部３２と嵌合筒部３３との間に流出するようにしてもよい。いずれの場合であっても、付勢部を構成する材料は、外筒部３２及び嵌合筒部３３を下方に向けても、アンテナ端子キャップ３０から流出しない材料が採用される。また、アンテナ端子２０に付着しないように配置される。
【００４９】
＜第２実施形態＞
本発明にかかるアンテナ端子キャップの他の例について図面を参照して説明する。図８は、本発明にかかるアンテナ端子キャップの他の例の断面図である。図８に示すように、アンテナ端子キャップ３０ａは、シールド部材４０に替えてシールド部材５０を備えている。それ以外の点は、アンテナ端子キャップ３０と同じ構成である。そのため、アンテナ端子キャップ３０ａのアンテナ端子キャップ３０と実質上同じ部分には、同じ符号を付すとともに、同じ部分の詳細な説明は省略する。
【００５０】
図８に示すように、アンテナ端子キャップ３０ａは、シールド部材５０を備える。シールド部材５０は、付勢部５１と、導電部５２とを備える。付勢部５１は、コイルばねであり、一端が、ベース部３１に固定されている。そして、他端に導電部５２が固定されている。そして、導電部５２は、金属製の板部材であり、変形しにくい。そのため、コイルばねで軸方向に押すことが可能である。導電部５２は、付勢部５１に押されて、アンテナ本体部２１の内部に配置された芯線接続部２２を外部の電磁波から保護する、すなわち、イミュニティ対策ができる。
【００５１】
このように、付勢部５１として、コイルばねを用いた構成とすることも可能である。このような構成とすることで、スポンジに比べて、経年劣化が少ない場合が多い。また、コイルばねは、熱による変性、劣化もスポンジに比べて発生しにくい。これにより、シールド部材５０は、長期間にわたって、安定してアンテナ端子２０のイミュニティ対策が可能である。
【００５２】
＜第３実施形態＞
本発明にかかるアンテナ端子キャップのさらに他の例について図面を参照して説明する。図９は、本発明にかかるアンテナ端子キャップのさらに他の例の断面図である。図９に示すように、アンテナ端子キャップ３０ｂは、シールド部材４０に替えてシールド部材７０を備えている。それ以外の点は、アンテナ端子キャップ３０と同じ構成である。そのため、アンテナ端子キャップ３０ｂのアンテナ端子キャップ３０と実質上同じ部分には、同じ符号を付すとともに、同じ部分の詳細な説明は省略する。
【００５３】
図９に示すように、アンテナ端子キャップ３０ｂは、シールド部材７０を備える。シールド部材７０は、導電部７１とを備える。導電部７１は、導電性を有する膜であり、ベース部３１の嵌合筒部３３と接続する面の嵌合筒部３３で囲まれた部分に接触する蓋状部分７１１と、嵌合筒部３３の内面に接触する筒状部分７１２とに接触して配置される。蓋状部分７１１及び筒状部分７１２は、連結されている。
【００５４】
そして、アンテナ端子キャップ３０ｂをアンテナ端子２０に取り付けたとき、嵌合筒部３３の内面に配置された筒状部分７１２が、アンテナ本体部２１と接触する。これにより、筒状部分７１２は接地され、蓋状部分７１１は、接地される。これにより、アンテナ本体部２１の内部に配置される芯線接続部２２への外部の電磁波からの影響を抑制できる、すなわち、イミュニティ対策が行われる。
【００５５】
以上、本発明の実施形態について説明したが、本発明の趣旨の範囲内であれば、実施形態は種々の変形が可能である。
【産業上の利用可能性】
【００５６】
本発明は、テレビジョン受像機等の放送受信装置に接続された同軸ケーブルを接続可能なアンテナ端子ユニット、アンテナ端子ユニットをカバーするキャップとして用いることができる。
【符号の説明】
【００５７】
１０      カバー部
１１      凹部
１００      外壁部
２０      アンテナ端子
２１      アンテナ本体部
２２      芯線接続部
２２１      クリップ部
２３      絶縁部
２３１      蓋部
２３２      筒部
２３３      貫通孔
３０      アンテナ端子キャップ
３０ａ      アンテナ端子キャップ
３０ｂ      アンテナ端子キャップ
３１      ベース部
３２      外筒部
３３      嵌合筒部
３３１      スリット
３３２      リブ
４０      シールド部材
４１      付勢部
４２      導電部
４３      接着部
５０      シールド部材
５１      付勢部
５２      導電部
６０      入力ケーブル
６１      芯線
６２      絶縁層
６３      導電層
６４      シース
６５      プラグ
６６      プラグ本体
６６１      筒部
７０      シールド部材
７１      導電部
７１１      蓋状部分
７１２      筒状部分
Ａｎ      アンテナ端子ユニット
ＷＬ      壁面
【図１】
2019186223.tif 000003
【図２】
2019186223.tif 000004
【図３】
2019186223.tif 000005
【図４】
2019186223.tif 000006
【図５】
2019186223.tif 000007
【図６】
2019186223.tif 000008
【図７】
2019186223.tif 000009
【図８】
2019186223.tif 000010
【図９】
2019186223.tif 000011